(57)【要約】【課題】意匠パネルに対する電子部品の位置精度を向上でき得る電子部品ユニットを提供する。【解決手段】電子部品である回転式スイッチ１４およびヘッドホンジャック１６は、載置板１８に固定配置され、電子基板１２としてユニット化されている。また、電子部品ユニットの筐体を構成する意匠パネル２４には、回転式スイッチ１４の前端部およびヘッドホンジャック１６に形成された端子孔を外部に露出させるための開口３８，４０が形成されている。開口３８，４０に対する電子部品１４，１６の位置精度を向上させるため、意匠パネル２４には、載置板１８に形成された第一溝３２に挿し込まれる第一リブ５０、および、載置板１８の前端が挿し込まれる二つのリブ対５２ａ，５２ｂが形成されており、これら複数のリブにより、意匠パネル２４に対する電子基板１２の高さ方向および幅方向の位置決めが成される。【選択図】図２
2008226929.tif 000002
【特許請求の範囲】
【請求項１】
１以上の電子部品を筐体に収容してユニット化した電子部品ユニットであって、
１以上の電子部品を載置板に固定配置して構成される電子基板と、
電子部品ユニットの筐体を構成するパネルであって、前記電子部品の一部を外部に露出させる開口が形成された開口形成パネルと、
を備え、
前記開口形成パネルには、前記電子基板に係合することで開口形成パネルに対する電子基板の位置を規制する位置規制手段を有することを特徴とする電子部品ユニット。
【請求項２】
請求項１に記載の電子部品ユニットであって、
前記位置規制手段は、開口形成パネルに対する電子基板の高さ方向の位置および幅方向の位置の少なくとも一方を規制することを特徴とする電子部品ユニット。
【請求項３】
請求項２に記載の電子部品ユニットであって、
位置規制手段は、電子基板に形成された溝に挿し込まれるリブ、および、電子基板の一部が挿し込まれる溝の少なくとも一方を含むことを特徴とする電子部品ユニット。
【請求項４】
請求項１または３に記載の電子部品ユニットであって、
位置規制手段は、電子基板に形成された第一溝に挿し込まれるリブであって、その幅方向の厚みが前記第一溝の幅方向距離とほぼ同じ第一リブを含むことを特徴とする電子部品ユニット。
【請求項５】
請求項１から４のいずれか１項に記載の電子部品ユニットであって、
位置規制手段は、電子基板の一部である挿入部が挿し込まれる溝であって、その高さ方向距離が前記挿入部の高さ方向の厚みとほぼ同じ第二溝を含むことを特徴とする電子部品ユニット。
【請求項６】
請求項５に記載の電子部品ユニットであって、
前記第二溝は、高さ方向に対向して形成される一対のリブにより構成されることを特徴とする電子部品ユニット。
【請求項７】
請求項６に記載の電子部品ユニットであって、
前記一対のリブのうち少なくとも一方には、他方に向かって突出するとともに、当該一対のリブ間に挿入される前記挿入部により先端面が圧潰される潰しリブが形成されることを特徴とする電子部品ユニット。
【発明の詳細な説明】
【技術分野】
【０００１】
本発明は、１以上の電子部品を筐体に収容してユニット化した電子部品ユニットに関する。
【背景技術】
【０００２】
現在、多数の電子部品、例えばスイッチや端子孔などを搭載した電子機器が知られている（例えば下記特許文献１など）。かかる電子機器では、各電子部品を互いに独立した別個の部品として組み付けるのではなく、予め、複数の電子部品を筐体に収容してユニット化した電子部品ユニットとして組み付けることがある。かかる電子部品ユニットでは、電子部品を筐体の内部に完全に収容するのではなく、電子部品の一部を外部に露出させなければならない場合もある。例えば、スイッチなどの電子部品は、ユーザからの操作を受け付ける操作受付部を、外部に露出させる必要がある。かかる場合、電子部品ユニットの筐体には、収容する電子部品の種類等に応じて、当該電子部品の一部を外部に露出させるための開口が形成されている。
【０００３】
【特許文献１】特開平８−２３８９９２号公報
【発明の開示】
【発明が解決しようとする課題】
【０００４】
このとき、電子部品ユニットの見栄えを考えれば、電子部品の操作受付部と、筐体に形成された開口との間隙が均一となること、換言すれば、開口と操作受付部との相対位置関係が厳密に調整されることが望ましい。しかしながら、従来、電子部品が搭載された電子基板は、開口、あるいは、当該開口が形成された部材を基準として位置決めされていないため、開口に対する電子部品の位置がずれやすかった。
【０００５】
具体的に、従来の電子部品ユニットを例に挙げて、この問題について説明する。図６は従来の電子部品ユニット１０の斜視図であり、図７は図６におけるＢ−Ｂ断面図である。また、図８は、当該電子部品ユニット１０の分解斜視図である。
【０００６】
この電子部品ユニット１０では、ボリュームスイッチである回転式スイッチ１４とヘッドホンジャック１６とを載置板１８に固定配置することで構成された電子基板１２を備えている。この電子基板１２は、上カバー２０、下カバー２２、および、意匠パネル２４で構成される筐体に収容される。ただし、電子部品である回転式スイッチ１４およびヘッドホンジャック１６は、筐体の内部に完全に収容されるのではなく、その一部は、外部に露出する。すなわち、回転式スイッチ１４のうちユーザからの操作を受け付ける前端部およびヘッドホンジャック１６の前端面に形成された端子孔は、外部に露出する必要がある。そのため、意匠パネル２４には、回転式スイッチ１４の前端部を外部に突出させるための開口３８と、ヘッドホンジャック１６の端子孔を外部に露出させるための開口４０と、が形成されている。つまり、図８の図示例では、意匠パネル２４が、電子部品の一部を外部に露出させる開口が形成された開口形成パネルとして機能する。なお、開口３８から突出した回転式スイッチ１４の先端には、スイッチノブ２６が被せられ、その意匠性、操作性の向上が図られる。
【０００７】
ここで、従来、電子部品１４，１６が搭載された電子基板１２の位置決めは、下カバー２２を基準として行われていた。すなわち、下カバー２２には、電子基板１２が載置される位置決め用リブ７４や、電子基板１２に形成された位置決用孔７０に挿入される位置決め用ピン７２が形成されている。そして、一定の高さの位置決め用リブ７４に載置されることで電子基板１２の高さ方向の位置が、また、位置決用孔７０に位置決め用ピン７２が挿入されることで電子基板１２の幅方向および奥行き方向の位置決めが行われていた。
【０００８】
この場合、意匠パネル２４に対する電子基板１２の位置誤差には、電子基板１２と下カバー２２との微細な位置誤差と、下カバー２２と意匠パネル２４との微細な位置誤差の両方が加わることになる。その結果、従来の構成では、意匠パネル２４に対する電子基板１２の位置誤差が大きくなりがちであった。そして、これにより、電子部品１４，１６の操作受付部と、意匠パネル２４に形成された開口３８，４０と、の間隙が不均一になり、電子部品ユニット１０の見栄えが低下するという問題を招いていた。また、位置誤差が大きい場合には、電子部品１４，１６の操作受付部やスイッチノブ２６が、意匠パネル２４に形成された開口３８，４０の周縁に干渉し、当該電子部品１４，１６の操作性を低下させる場合もあった。
【０００９】
そこで、本発明では、開口形成パネルに対する電子部品の位置精度をより向上でき得る電子部品ユニットを提供することを目的とする。
【課題を解決するための手段】
【００１０】
本発明の電子部品ユニットは、１以上の電子部品を筐体に収容してユニット化した電子部品ユニットであって、１以上の電子部品を載置板に固定配置して構成される電子基板と、電子部品ユニットの筐体を構成するパネルであって、前記電子部品の一部を外部に突出させる開口が形成された開口形成パネルと、を備え、前記開口形成パネルには、前記電子基板に係合することで開口形成パネルに対する電子基板の位置を規制する位置規制手段を有することを特徴とする。
【００１１】
好適な態様では、前記位置規制手段は、開口形成パネルに対する電子基板の高さ方向の位置および幅方向の位置の少なくとも一方を規制する。
【００１２】
他の好適な態様では、位置規制手段は、電子基板に形成された溝に挿し込まれるリブ、および、電子基板の一部が挿し込まれる溝の少なくとも一方を含む。
【００１３】
他の好適な態様では、位置規制手段は、電子基板に形成された第一溝に挿し込まれるリブであって、その幅方向の厚みが前記第一溝の幅方向距離とほぼ同じ第一リブを含む。
【００１４】
他の好適な態様では、位置規制手段は、電子基板の一部である挿入部が挿し込まれる溝であって、その高さ方向距離が前記挿入部の高さ方向の厚みとほぼ同じ第二溝を含む。この場合、前記第二溝は、高さ方向に対向して形成される一対のリブにより構成されることが望ましい。また、前記一対のリブのうち少なくとも一方には、他方に向かって突出するとともに、当該一対のリブ間に挿入される前記挿入部により先端面が圧潰される潰しリブが形成されることも望ましい。
【発明の効果】
【００１５】
本発明によれば、開口形成パネルが、前記電子基板に係合することで開口形成パネルに対する電子基板の位置を規制する位置規制手段を有し、電子基板は、開口形成パネルを基準として位置決めされる。その結果、電子基板と開口形成パネルとの間には、他の部材との組み付け誤差等が重畳されないため、開口形成パネルに対するスイッチの位置精度をより向上できる。
【発明を実施するための最良の形態】
【００１６】
以下、本発明の実施形態について図面を参照して説明する。図１は、本発明の実施形態である電子部品ユニット１０の分解斜視図である。また、図２は、意匠パネル２４および電子基板１２を他の方向から見た分解斜視図であり、図３は、意匠パネル２４と電子基板１２とを組み付けた際の斜視図である。
【００１７】
この電子部品ユニット１０は、電子部品である回転式スイッチ１４およびヘッドホンジャック１６が筐体に収容されユニット化された装置である。回転式スイッチ１４およびヘッドホンジャック１６は、予め、所定の厚みを有する載置板１８の上に固定配置され、電子基板１２としてユニット化されている。そして、このユニット化された電子基板１２を、上カバー２０、下カバー２２、および、意匠パネル２４で構成される筐体に収容することで電子部品ユニット１０が構成される。以下、この電子部品ユニット１０について詳説する。
【００１８】
電子基板１２は、既述したとおり、所定の厚みを有する載置板１８の上に、回転式スイッチ１４およびヘッドホンジャック１６を固定配置したものである。回転式スイッチ１４およびヘッドホンジャック１６は、互いに所定の距離を開けて平行になるべく、厳密に位置決めされたうえで載置板１８に固定配置される。したがって、電子基板１２と意匠パネル２４との相対位置関係が厳密に担保されれば、自動的に、回転式スイッチ１４と意匠パネル２４との相対位置関係も担保されるようになっている。なお、以下の説明では、回転式スイッチ１４の長軸方向（図面Ｌ方向）を奥行き方向、回転式スイッチ１４とヘッドホンジャック１６との隣接方向（図面Ｗ方向）を幅方向、奥行き方向および幅方向に直交する方向（図面Ｈ方向）を高さ方向と呼ぶ。
【００１９】
回転式スイッチ１４およびヘッドホンジャック１６が載置される載置板１８は、上面視で略Ｌ字状の板材である。この載置板１８の前端面には、奥行き方向に延びる第一溝３２が形成されている。この第一溝３２は、電子基板１２の幅方向の位置決めに利用される溝であり、後述する意匠パネル２４から突出する第一リブ５０が挿し込まれる溝である。また、載置板１８のうち、回転式スイッチ１４の近傍、および、ヘッドホンジャック１６の近傍には、幅方向に長尺な長孔３０がそれぞれ一つずつ、合計二つ形成されている。この二つの長孔３０は、電子基板１２の奥行き方向の位置決めに利用される長孔３０で、後述する下カバー２２から突出する位置決めピン３６が挿入される孔である。
【００２０】
電子部品ユニット１０の筐体は、上カバー２０、下カバー２２、および、意匠パネル２４から構成される。上カバー２０は、電子基板１２の上側に配される部材で、その端部には下カバー２２や意匠パネル２４と嵌合される上側嵌合部２０ａが形成されている。
【００２１】
下カバー２２は、電子基板１２の下側に配される部材で、前面および上面が開口した略箱状の部材である。この下カバー２２の左右側壁の端部には、上カバー２０や意匠パネル２４の嵌合部と嵌合される上側嵌合部２２ａが形成されている。また、背面には、大きな切り欠き３４が形成されており、回転式スイッチ１４の後端を外部に突出できるようになっている。さらに、この上カバー２０の底面からは、載置板１８に形成された二つの長孔３０に挿入される、二つの位置決めピン３６が突出形成されている。この位置決めピン３６は、各長孔３０の短軸方向の幅（奥行き方向の幅）とほぼ同じ径の円柱形部材である。換言すれば、各長孔３０の奥行き方向の幅と、位置決めピン３６の奥行き方向の幅とは、ほぼ同じとなっている。したがって、載置板１８の長孔３０に位置決めピン３６を挿入した場合、載置板１８は、下カバー２２に対して奥行き方向へ移動できず、載置板１８の下カバー２２に対する奥行き方向の位置は完全に規制される。これにより、載置板１８の奥行き方向における位置決めがなされる。
【００２２】
意匠パネル２４は、電子基板１２の前面に配置される部材であり、電子部品１４，１６の一部を外部に露出させる開口３８，４０が形成された開口形成パネルとして機能する。この意匠パネル２４には、電子部品である回転式スイッチ１４およびヘッドホンジャック１６の一部を外部に露出させるための二つの開口３８，４０が形成されている。すなわち、意匠パネル２４には、ユーザから操作を受け付ける回転式スイッチ１４の前端部２８を外部に突出させるスイッチ用開口３８と、ヘッドホンジャック１６に形成された端子孔２９を外部に露出させる端子用開口４０と、が形成されている。この二つの開口３８，４０は、いずれも、円形の貫通孔であり、その周辺は、他の部位に比べて奥側に凹んだ凹部４２となっている。なお、スイッチ用開口３８から突出した回転式スイッチ１４の前端部２８には、カバー体であるスイッチノブ２６が被せられ、その意匠性および操作性の向上が図られる。
【００２３】
ここで、意匠パネル２４に形成された二つの開口３８，４０は、いずれも、対応する電子部品（回転式スイッチ１４またはヘッドホンジャック１６）との間隙が均一となるように、換言すれば、対応する電子部品１４，１６が開口の中心に位置するように設計されている。しかしながら、各部材の組付け誤差等が原因で電子部品１４，１６と開口３８，４０との相対位置関係にズレが生じる場合がある。かかる場合、両者の間隙が不均一となり見栄えが低下するという問題がある。また、両者の位置ズレが大きい場合には、電子部品１４，１６や当該電子部品に装着されるスイッチノブ２６の一部が開口３８，４０の周縁と干渉してしまい、当該電子部品１４，１６の操作性まで低下させる場合もある。そこで、組付け誤差を最低限に抑えるために、本実施形態では、意匠パネル２４に、位置規制手段として機能する複数のリブを設け、当該複数のリブを利用して意匠パネル２４に対する電子基板１２の位置決めを図っている。
【００２４】
具体的には、本実施形態では、スイッチ用開口３８と端子用開口４０との間に、高さ方向に長尺で、奥側に向かって突出した第一リブ５０を形成している。この第一リブ５０は、電子基板１２の幅方向の位置決めに利用されるリブであって、載置板１８に形成された第一溝３２に挿し込まれるリブである。第一リブ５０の厚み（幅方向距離）は、載置板１８に形成された第一溝３２の幅（幅方向距離）とほぼ同じである。また、第一溝３２への挿し込みを容易にするために、当該第一リブ５０の先端には、テーパが形成されている。この第一リブ５０が第一溝３２に挿し込まれた場合、両者の幅方向距離がほぼ同じであるため、載置板１８、ひいては、電子基板１２は、意匠パネル２４に対して幅方向に移動できなくなる。そして、これにより意匠パネル２４を基準として、電子基板１２の幅方向の位置決めがなされる。
【００２５】
また、意匠パネル２４のうち、スイッチ用開口３８の下側には、高さ方向に互いに対向する上側リブ５４および下側リブ５６から構成される第一リブ対５２ａが形成されている。また、端子用開口４０の下側にも、高さ方向に対向する上側リブ５４および下側リブ５６から構成される第二リブ対５２ｂが形成されている。第一リブ対５２ａおよび第二リブ対５２ｂは、載置板１８、ひいては、電子基板１２の高さ方向の位置決めに利用されるリブである。この第一リブ対５２ａおよび第二リブ対５２ｂは、ほぼ同じ高さに形成されており、その構成はほぼ同じである。
【００２６】
図４は、このリブ対５２の正面図であり、図５は図４におけるＡ−Ａ断面図である。リブ対５２は、高さ方向に所定の間隔を開けて対向する上側リブ５４および下側リブ５６から構成される。上側リブ５４および下側リブ５６の対向幅（高さ方向距離）ｈ１は、載置板１８の厚みより僅かに大きい。ただし、後述する潰しリブ５８の下端から下側リブ５６の上面までの距離ｈ２は、載置板１８の厚みより僅かに小さくなるように設定されている。ここで、互いに対向する上側リブ５４と下側リブ５６との間には、載置板１８の厚みより僅かに小さい溝６０が形成されているといえる。本実施形態では、この上側リブ５４および下側リブ５６で構成される溝６０に、載置板１８の前端面を挿し込むことで、電子基板１２の高さ方向の位置決めを図っている。上側リブ５４および下側リブ５６の先端には、この載置板１８の挿し込みを容易にするために、溝６０の内部に向かって傾斜するテーパ５４ａ，５６ａが形成されている。
【００２７】
また、上側リブ５４の底面、換言すれば、上側リブ５４のうち下側リブ５６に対向する面には、奥行き方向に延び、断面三角形の潰しリブ５８が形成されている。この潰しリブ５８は、上側リブ５４および下側リブ５６の間に挿し込まれた載置板１８により潰されることで、載置板１８と上側リブ５４、および、載置板１８と下側リブ５６との間に生じるガタを防止する。すなわち、潰しリブ５８の下端から下側リブ５６の上面までの距離ｈ２は、載置板１８の厚みより僅かに小さいため、上側リブ５４および下側リブ５６の間に挿し込まれた載置板１８は、この潰しリブ５８に干渉することになる。潰しリブ５８に干渉した状態のまま載置板１８をさらに挿し込むと、当該載置板１８により潰しリブ５８の先端が押圧され、潰しリブ５８の尖った先端が潰される。その場合、載置板１８の底面は下側リブ５６に、載置板１８の上面は潰しリブ５８に、隙間無く密着することになる。その結果、載置板１８と上下リブ５４，５６との間のガタつきが防止される。そして、上側リブ５４と下側リブ５６との間に載置板１８がガタつくことなく挿し込まれることで、載置板１８、ひいては、電子基板１２は意匠パネル２４に対して高さ方向へ移動ができず、電子基板１２の高さ方向の位置決めが図られる。
【００２８】
次に、この電子部品ユニット１０の組み立ての流れについて簡単に説明する。電子部品ユニット１０を組み立てる際には、予め、電子部品である回転式スイッチ１４およびヘッドホンジャック１６を載置板１８に載置し、固定し、電子基板１２を構成しておく。続いて、この電子基板１２を、意匠パネル２４に組み付ける。すなわち、載置板１８に形成された第一溝３２に、意匠パネル２４に形成された第一リブ５０を挿し込み、係合させる。また、同時に、載置板１８の前端部を、意匠パネル２４に形成された上側リブ５４および下側リブ５６の間に挿し込み、係合させる。この第一溝３２と第一リブ５０の係合により電子基板１２の幅方向の位置決めが、また、載置板１８とリブ対５２ａ，５２ｂとの係合により電子基板１２の高さ方向の位置決めが、それぞれ意匠パネル２４を基準として図られる。ただし、この時点では、電子基板１２は、意匠パネル２４に対して奥行き方向には移動可能となっている。
【００２９】
そこで、次には、下カバー２２を意匠パネル２４に組み付ける。このとき、下カバー２２に形成された二つの位置決めピン３６を、載置板１８に形成された長孔３０に挿入する。これにより、電子基板１２の奥行き方向の移動が規制され、その奥行き方向の位置決めも図られる。つまり、この時点で、電子基板１２は、高さ方向、幅方向、および、奥行き方向の位置決めが成されることになる。そして、最後に、上カバー２０を下カバー２２および意匠パネル２４に嵌合すれば、電子部品ユニット１０の組立作業は終了となる。
【００３０】
以上の説明から明らかなとおり、本実施形態では、意匠パネル２４に電子基板１２の幅方向および高さ方向の位置を規制する位置規制手段（リブ）を設け、意匠パネル２４を基準として電子基板１２の幅方向および高さ方向の位置決めを行っている。その結果、幅方向および高さ方向における意匠パネル２４と載置板１８との位置誤差に、意匠パネル２４と下カバー２２や上カバー２０、あるいは、載置板１８と下カバー２２や上カバー２０との間に生じる組み付け誤差が重畳されることがない。そして、これにより、従来に比べて、幅方向および高さ方向における意匠パネル２４と載置板１８との位置誤差が低減され、電子部品と意匠パネルに形成された開口との位置精度が向上され、電子部品ユニット１０の見栄えや電子部品の操作性が向上される。
【００３１】
なお、上記説明は一例であり、載置板１８の一部を意匠パネル２４の一部に係合させることで、載置板１８の意匠パネル２４に対する位置決めが図られるのであれば、適宜、異なる構成としてもよい。例えば、本実施形態では、載置板１８に形成された溝に意匠パネル２４に形成されたリブを挿し込むことで、載置板の幅方向位置決めを行っているが、これは、逆であってもよい。すなわち、載置板１８に何らかの突出部材を設け、意匠パネル２４に当該突出部材が挿し込まれる溝を形成してもよい。
【図面の簡単な説明】
【００３２】
【図１】本発明の実施形態である電子部品ユニットの分解斜視図である。
【図２】意匠パネルと電子基板との分解斜視図である。
【図３】意匠パネルに電子基板を組み付けた際の斜視図である。
【図４】リブ対の概略正面図である。
【図５】図４におけるＡ−Ａ断面図である。
【図６】従来の電子部品ユニットの斜視図である。
【図７】図６におけるＢ−Ｂ断面図である。
【図８】従来の電子部品ユニットの分解斜視図である。
【符号の説明】
【００３３】
１０  電子部品ユニット、１２  電子基板、１４  回転式スイッチ、１６  ヘッドホンジャック、１８  載置板、２０  上カバー、２２  下カバー、２４  意匠パネル、２６  スイッチノブ、３０  長孔、３２  第一溝、３６  位置決めピン、３８  スイッチ用開口、４０  端子用開口、５０  第一リブ、５２ａ，５２ｂ  リブ対、５４  上側リブ、５６  下側リブ、５８  潰しリブ。
【図１】
2008226929.tif 000003
【図２】
2008226929.tif 000004
【図３】
2008226929.tif 000005
【図４】
2008226929.tif 000006
【図５】
2008226929.tif 000007
【図６】
2008226929.tif 000008
【図７】
2008226929.tif 000009
【図８】
2008226929.tif 000010